(57)【要約】      （修正有）【課題】オフィス、公共施設あるいは一般家庭などに設置されている飲料水ディスペンサに装着された給水ボトルを容易かつ安全に取り外すことのできるボトル離脱器具を提供する。【解決手段】ボトル離脱器具１０は、飲料水ディスペンサ２０の本体部２１の上面２１ａに倒立状態で装着された給水ボトル２２と上面２１ａとの隙間２３に嵌入可能な２本の操作桿１１Ｌ，１１Ｒと、操作桿１１Ｌ，１１Ｒの端部寄りの部分を互いに繋ぐ連結部材と、を備えている。操作桿１１Ｌ，１１Ｒは断面が円形の筒状体１５の両端にそれぞれゴムキャップ１３を取り付けて形成している。連結部材は可撓性を有する紐状体であり、その両端部はそれぞれ操作桿１１Ｌ，１１Ｒの端部付近に開設された係止孔を通して操作桿１１Ｌ，１１Ｒ内に係止されている。【選択図】図３
0003130278.tif 000002
【実用新案登録請求の範囲】
【請求項１】
飲料水ディスペンサの本体部上面に倒立状態で装着された給水ボトルと前記本体部上面との隙間に嵌入可能な２本の操作桿と、前記操作桿の端部寄りの部分を互いに繋ぐ連結部材と、を備え、前記連結部材が可撓性、屈曲性若しくは折曲性を有することを特徴とするボトル離脱器具。
【請求項２】
前記操作桿の断面形状が円形であることを特徴とする請求項１記載のボトル離脱器具。
【請求項３】
前記連結部材の長さが変更可能であることを特徴とする請求項１または２記載のボトル離脱器具。
【考案の詳細な説明】
【技術分野】
【０００１】
本考案は、オフィス、公共施設あるいは一般家庭などに設置されている飲料水ディスペンサの本体部上面に装着された給水ボトルを当該本体部から取り外すときに使用するボトル離脱器具に関する。
【背景技術】
【０００２】
オフィスや公共施設などにおいてミネラルウォータなどの飲料水を手軽に飲めるようにするため、近年、飲料水ディスペンサを設置する所が増えている。従来の飲料水ディスペンサとして、加熱機構、冷却機構および給水給湯器具などを備えた本体部と、本体部上面に倒立状態で着脱可能に装着された給水ボトルと、を備えたものがある（例えば、特許文献１〜３参照。）。特許文献１〜３に記載された飲料水ディスペンサにおいては、給水ボトルから本体部へ供給されたミネラルウォータなどが本体部内の温水タンク、冷水タンクでそれぞれ加熱、冷却されており、本体部正面の給水具、給湯具を操作すると冷水、温水となって吐出される。
【０００３】
特許文献１〜３記載の飲料水ディスペンサの本体部上面に装着されている給水ボトルが空になると、ミネラルウォータなどが充填された新たな給水ボトルと取り替える必要がある。この場合、空になった給水ボトルを本体部から取り外す作業は、特許文献１の図７に示すように手作業で行われている。
【０００４】
【特許文献１】特開２００６−１１３６４３号公報
【特許文献２】特開２００３−１０４４９４号公報
【特許文献３】特開平１０−１５１４６４号公報
【考案の開示】
【考案が解決しようとする課題】
【０００５】
特許文献１〜３記載の飲料水ディスペンサにおいては、本体部上面に設けられたボトル装着口から給水ボトルが簡単に外れたり、水が漏れたりするのを防止するため、給水ボトルの給水口はボトル装着口に固く嵌合されている。このため、空になった給水ボトルを本体部から取り外すときには大きな引き抜き力が必要であり、力の弱い人は給水ボトルの取り外し作業が極めて困難である。
【０００６】
また、大きな引き抜き力を加えている給水ボトルがボトル装着口から抜けた瞬間、そのときの勢いで空の給水ボトルが作業者の顔や身体に衝突して、苦痛を与えたり、ケガさせたりすることがある。
【０００７】
本考案が解決しようとする課題は、飲料水ディスペンサに装着された給水ボトルを容易かつ安全に取り外すことのできるボトル離脱器具を提供することにある。
【課題を解決するための手段】
【０００８】
本考案のボトル離脱器具は、飲料水ディスペンサの本体部上面に倒立状態で装着された給水ボトルと前記本体部上面との隙間に嵌入可能な２本の操作桿と、前記操作桿の端部寄りの部分を互いに繋ぐ連結部材と、を備え、前記連結部材が可撓性、屈曲性若しくは折曲性を有することを特徴とする。
【０００９】
このような構成とすれば、飲料水ディスペンサの本体部上面に倒立状態で装着された給水ボトルと前記本体部上面との隙間を２本の操作桿で水平方向に挟む状態とし、これらの操作桿の、連結部材で繋がれていない方の端部同士を接近させるように２本の操作桿に力を加えると、操作桿が前記隙間に嵌入し、楔のように作用して前記隙間を拡げるので、給水ボトルが浮き上がり、本体部上面から容易に離脱する。給水ボトルを大きな力で引き抜く必要がないので、離脱したときの勢いで給水ボトルが顔や身体に衝突することもなく、安全である。
【００１０】
ここで、前記操作桿の断面形状を円形とすれば、飲料水ディスペンサの本体部上面と給水ボトルとの隙間に対する操作桿の姿勢が一定となるので、前記隙間に対する操作桿の位置合わせが不要となり、作業性が向上する。また、操作桿の外周が滑らかな凸曲面形状となるので、本体部上面や給水ボトルに損傷を与えるおそれがなくなり、手で掴んだときの感触も良好である。
【００１１】
また、前記連結部材の長さを変更可能とすれば、飲料水ディスペンサや給水ボトルなどの違いにより、飲料水ディスペンサの本体部上面と給水ボトルとの隙間の大きさが変わった場合に容易に対応することができるため、汎用性が向上する。
【考案の効果】
【００１２】
本考案により、飲料水ディスペンサに装着された給水ボトルを容易かつ安全に取り外すことのできるボトル離脱器具を提供することができる。
【考案を実施するための最良の形態】
【００１３】
以下、図面に基づいて、本考案の実施の形態について説明する。図１は本考案の実施の形態であるボトル離脱器具を示す斜視図、図２は図１に示すボトル離脱器具を使用可能な飲料水ディスペンサを示す正面図、図３，図４は図１に示すボトル離脱器具の使用状態を示す一部省略斜視図である。
【００１４】
図１，図２に示すように、本実施形態のボトル離脱器具１０は、飲料水ディスペンサ２０の本体部２１の上面２１ａに倒立状態で装着された給水ボトル２２と上面２１ａとの隙間２３に嵌入可能な２本の操作桿１１Ｌ，１１Ｒと、操作桿１１Ｌ，１１Ｒの端部寄りの部分を互いに繋ぐ連結部材１２と、を備えている。操作桿１１Ｌ，１１Ｒは断面が円形の筒状体１５の両端にそれぞれゴムキャップ１３を取り付けて形成している。連結部材１２は可撓性を有する紐状体であり、その両端部はそれぞれ操作桿１１Ｌ，１１Ｒの端部付近に開設された係止孔１４を通して操作桿１１Ｌ，１１Ｒ内に係止されている。
【００１５】
ボトル離脱器具１０を使用する場合、図３に示すように、飲料水ディスペンサ２０の本体部２１の上面２１ａに倒立状態で装着された給水ボトル２２と上面２１ａとの隙間２３を２本の操作桿１１Ｌ，１１Ｒで水平方向に挟む状態とし、連結部材１２で繋がれていない方の端部をそれぞれ作業者２５の左右の手２４で掴む。次に、当該端部同士を接近させるように２本の操作桿１１Ｌ，１１Ｒに力を加えていくと、図４に示すように、操作桿１１Ｌ，１１Ｒが隙間２３に嵌入し、楔のように作用して隙間２３を拡げるので、給水ボトル２２が浮き上がり、本体部２１の上面２１ａから容易に離脱する。この後は、作業者２５が給水ボトル２２を両手で挟んで軽く持ち上げるだけで、本体部２１から取り外すことができる。
【００１６】
離脱作業中、２本の操作桿１１Ｌ，１１Ｒは梃子の機能も果たすので、作業者２５は操作桿１１Ｌ，１１Ｒに大きな力を加える必要がなく、給水ボトル２２を極めて簡単に取り外すことができる。また、従来のように、給水ボトル２２を大きな力で引き抜く必要がないので、離脱したときの勢いで給水ボトル２２が作業者２５の顔や身体に衝突することもなく、安全である。
【００１７】
ボトル離脱器具１０を構成する２本の操作桿１１Ｌ，１１Ｒの断面形状は円形であるため、飲料水ディスペンサ２０の本体部２１の上面２１ａと給水ボトル２２との隙間２３に対する操作桿１１Ｌ，１１Ｒの姿勢が一定である。このため、隙間２３に対する操作桿１１Ｌ，１１Ｒの位置合わせは不要であり、作業性も良好である。また、操作桿１１Ｌ，１１Ｒの外周は滑らかな凸曲面形状であるため、操作桿１１Ｌ，１１Ｒと接触する本体部２１の上面２１ａや給水ボトル２２に損傷を与えるおそれがなく、手２４で掴んだときの感触も良好である。
【００１８】
また、連結部材１２の両端部は操作桿１１Ｌ，１１Ｒの係止孔１４を通して操作桿１１Ｌ，１１Ｒ内に係止されているが、係止孔１４側のゴムキャップ１３を外して筒状体１５内における連結部材１２の係止部分を変えることにより連結部材１２の長さを変更することができる。従って、飲料水ディスペンサ２０や給水ボトル２２などの違いにより、飲料水ディスペンサの本体部の上面と給水ボトルとの隙間の大きさが変わった場合に容易に対応することができ、汎用性に優れている。
【００１９】
本実施形態のボトル離脱器具１０においては連結部材１２として、屈曲性を有する柔軟な紐状体を使用している。従って、隙間２３の大きさに対して連結部材１２が長すぎる場合、図３に示す状態において、操作桿１１Ｌ，１１Ｒの少なくとも一方をその軸心を中心に適度に回転させ、連結部材１２の端部を操作桿１１Ｌ，１１Ｒの係止孔１４付近の外周に巻き付けることにより、連結部材１２の有効長さを調節することもできる。なお、連結部材１２は紐状体に限定するものではないので、針金、チェーン、ベルトあるいは蝶番などの可撓性、屈曲性若しくは折曲性を有する部材を使用することもできる。
【産業上の利用可能性】
【００２０】
本考案のボトル離脱器具は、オフィス、公共施設あるいは一般家庭などに設置されている飲料水ディスペンサの給水ボトルを取り外す道具として広く利用することができる。
【図面の簡単な説明】
【００２１】
【図１】本考案の実施の形態であるボトル離脱器具を示す斜視図である。
【図２】図１に示すボトル離脱器具を使用可能な飲料水ディスペンサを示す正面図である。
【図３】図１に示すボトル離脱器具の使用状態を示す一部省略斜視図である。
【図４】図１に示すボトル離脱器具の使用状態を示す一部省略斜視図である。
【符号の説明】
【００２２】
１０  ボトル離脱器具
１１Ｌ，１１Ｒ  操作桿
１２  連結部材
１３  ゴムキャップ
１４  係止孔
１５  筒状体
２０  飲料水ディスペンサ
２１  本体部
２１ａ  上面
２２  給水ボトル
２３  隙間
２４  手
２５  作業者
【図１】
0003130278.tif 000003
【図２】
0003130278.tif 000004
【図３】
0003130278.tif 000005
【図４】
0003130278.tif 000006